(57)【特許請求の範囲】
【請求項１】
レガシインターリーバでインターリーブされたデータを受信する受信機と通信するように動作可能な多入力多出力マルチバンドＯＦＤＭ送信機であって、
Ｎ本のパースされたデータストリームにデータをパースするラウンドロビンパーサと、
前記Ｎ本のパースされたデータストリームのうちの１つを受信し、インターリーブされたデータストリームを生成する第１レガシインターリーバと、
各々が前記Ｎ本のパースされたデータストリームのうちの１つを受信し、前記パースされたデータストリームをｉ＊ｘビット（ｉは整数であり、ｘは送信されたシンボルのビット数である）シフトするＮ―１個のビットシフタと、
各々が前記シフトされたパースデータストリームのうちの１つを受信し、ここからインターリーブされたデータストリームを生成する、Ｎ―１個のシフタレガシインターリーバとを有し、
前記送信機が、複数のサブバンドをホップし、前記Ｎ本のインターリーブされたデータストリームの各々が、異なるサブバンドの順序でサブバンドを通じて伝送される、送信機。
【請求項２】
各レガシインターリーバが、
ｋ個のシンボルに対して、シンボル当たりｘビットのインターリーブをするシンボルインターリーバと、
ｙ＊ｊビットのブロックを使用して、前記シンボルインターリーバからのｘビットのグループをインターリーブするトーンインターリーバと、
ｍの循環シフトで、トーンインターリーブされたデータを循環シフトさせる循環シフタとを更に有する、請求項１に記載の送信機。
【請求項３】
ｋ＝６、ｘ＝２００、ｙ＝２０、ｊ＝１０、及びｍ＝３３である、請求項２に記載の送信機。
【請求項４】
各々がシンボル当たりｘビットを含むｋ個のシンボルに渡って、レガシインターリーバでインターリーブされるデータを受信する受信機と通信するように動作可能な多入力多出力マルチバンドＯＦＤＭ送信機であって、
Ｎ＊ｋ＊ｘビットのセットを分割して、各々がＮ＊ｋ＊ｘビットの元のセットからのｋ＊ｘの逐次的ビットのサブセットを含む、Ｎ個のビットのサブセットにするデータスプリッタと、
各々が前記Ｎ個のビットのサブセットのうちの対応するものにインターリーブする、Ｎ個のレガシインターリーバとを有し、
前記送信機が、複数のサブバンドをホップし、前記Ｎ本のインターリーブされたデータストリームの各々が、異なるサブバンドの順序でサブバンドを通じて伝送される、送信機。
【請求項５】
各レガシインターリーバが、
ｋ個のシンボルに対してシンボル当たりｘビットのインターリーブをするシンボルインターリーバと、
ｙ＊ｊビットのブロックを使用して、前記シンボルインターリーバからｘビットのグループのインターリーブをするトーンインターリーバと、
ｍの循環シフトでトーンインターリーブされたデータを循環シフトする循環シフタとを有する、請求項４に記載の送信機。
【請求項６】
ｋ＝６、ｘ＝２００、ｙ＝２０、ｊ＝１０、及びｍ＝３３である、請求項５に記載の送信機。
【請求項７】
ｋ個のシンボルに対して、シンボル当たりｘビットのインターリーブをするシンボルインターリーバと、ｙ＊ｊビットのブロックを使用して、前記シンボルインターリーバからのｘビットのグループにインターリーブするトーンインターリーバと、ｍの循環シフトを有する循環シフタとを有するレガシインターリーバを用いてインターリーブされたデータを受信する受信機と通信するように動作可能な多入力多出力マルチバンドＯＦＤＭ送信機であって、
シンボル当たりＮｘビットをｋ個のシンボルにインターリーブするシンボルインターリーバ、
Ｎｙ＊ｊビットのブロックを使用して、前記シンボルインターリーバからのＮｘビットのグループにインターリーブするトーンインターリーバ、及び
ｍの循環シフトで、前記トーンインターリーブされたデータをシフトさせる循環シフタを含むスケーリングされたレガシインターリーバと、
Ｎ本の伝送データストリームに前記循環シフトされたデータをパースするラウンドロビンパーサとを有し、
前記送信機が、複数のサブバンドをホップし、前記Ｎ本のインターリーブされたデータストリームの各々が、異なるサブバンドの順序でサブバンドを通じて伝送される、送信機。
【請求項８】
ｋ＝６、ｘ＝２００、ｙ＝２０、ｊ＝１０、及びｍ＝３３である請求項７に記載の送信機。
【発明の詳細な説明】
【技術分野】
【０００１】
本発明は、ワイヤレス通信ネットワークの分野に関し、より詳細には、本発明は、多入力多出力マルチバンドＯＦＤＭ通信システムのデータをインターリーブする方法およびシステムに関する。
【背景技術】
【０００２】
データインターリーブは、ビタビ復号器によって復号化されるとき、マルチパスフェージング（例えばレイリーフェージング）チャネルのメモリ効果を無効にするため、及び畳み込み符号化データストリームの性能を向上させるため、デジタル通信システムにおいて共通して使用される。このような通信システムにおいて、これらが連続して送信されないように、送信機は、符号化されたデータの連続的なビットにインターリーブをし、隣接ビットは、ある距離によって隔てられる。受信機において、デインターリーバは、畳み込み復号器（例えばビタビ復号器）に適用する前に、符号化されたデータを逆順で回復することを必要とする。
【０００３】
ＷＩＭＥＤＩＡ（登録商標）アライアンス規格によるデジタル通信ネットワークは、改善された性能のためにインターリーブを使用するこのようなシステムの一例である。ＷＩＭＥＤＩＡ（登録商標）規格は、超広帯域（ＵＷＢ）通信のためのマルチバンド（ＭＢ）直交周波数分割多重（ＯＦＤＭ）伝送方式を記載する。図１は、ＵＷＢ  ＭＢ―ＯＦＤＭ送信機１００の一実施例の機能ブロック図を示す。送信機１００は、単入力単出力（ＳＩＳＯ）伝送システムに関する。図１から分かるように、伝送チェーンは、スクランブラ１１０、畳込エンコーダ１２０、パンクチュア１３０、インターリーバ１４０、コンステレーションマッパ１５０、逆フーリエ変換部１６０、デジタル／アナログ変換器１７０、及びモジュレータ１８０を含む。
【０００４】
ＷＩＭＥＤＩＡ（登録商標）物理層規格バージョン１．１（「ＷＩＭＥＤＩＡ（登録商標）ＰＨＹ  １．１」）の物理層は、３ステージインターリーバ１４０を記載する。図２は、ＷＩＭＥＤＩＡ（登録商標）規格による３ステージインターリーバ２００の機能ブロック図である。３ステージインターリーバ２００は、シンボルインターリーバ２２０、トーンインターリーバ２４０及び循環シフタ２６０を含む。
【０００５】
シンボルインターリーバ２２０は、ｋ＝６を超えるシンボルに渡って符号化されたデータを受信及びインターリーブし、各シンボルは、ｘ＝２００の符号化ビットを含む。シンボルインターリーブ動作は、まず符号化ビットを（各々ｘビットのｋ個の「オンエア」ＯＦＤＭシンボルに対応する）ｋ＊ｘビットのブロックにグループ化し、それから符号化ビットの順序を変えるようにサイズｘ＊ｋのブロックインタリーバを使用することによって実行される。シーケンスａ［ｉ］及びａＳ［ｉ］（ただしｉ＝０、１、…（ｋ＊ｘ―１））が、それぞれシンボルブロックインターリーバの入出力ビットを表すとする。シンボルブロックインターリーバの出力は、以下の関係により与えられる。
【数１】
0005431970.tif 000002
【０００６】
ｘビットのブロックにグループ化されるシンボルインターリーバ２２０の出力は、それからサイズｙ＊ｊ（ただしｙ＊ｊ＝ｘ）の規則的なブロック内部シンボルインターリーバであるトーンインターリーバ２４０によって並べ替えられる。例えばｘ＝２００の場合、ｙは２０であり得、ｊは１０であり得る。シーケンスａＳ［ｌ］及びａＴ［ｌ］（ただしｌ＝０，…，（ｋ＊ｘ―１））が、それぞれトーンインターリーバ２４０の入出力ビットを表すとする。トーンインターリーバ２４０の出力は、以下の関係によって与えられる。
【数２】
0005431970.tif 000003
【０００７】
トーンインターリーバ２４０の出力は、それから内部シンボル循環シフタ２６０を通過し、シンボルインターリーバ２２０の長さにおけるｘビットの各ブロックに対して異なる循環シフトを提供する。シーケンスａＴ［ｉ］及びｂ［ｉ］（ただしｉ＝０、…（ｋ＊ｘ−１））が、それぞれ循環シフタ２６０の入出力ビットを表すとする。循環シフタ２６０の出力は、以下の関係によって与えられる。
3)ｂ［ｉ］＝ａＴ［ｒ（ｉ）＋ｘ＋ｍｏｄ（ｉ＋ｒ（ｉ）＊ｍ，ｘ）］
ここでｒ（ｉ）＝floor（ｉ＝ｘ）（ただしｉ＝０,…,（ｘ―１））、ｍは、循環シフタ２６０の循環シフトである。
【０００８】
一方、ＷＩＭＥＤＩＡ（登録商標）規格は、多入力多出力（ＭＩＭＯ）伝送をサポートするために拡張される。ＭＩＭＯ  ＵＷＢマルチバンドＯＦＤＭ通信システムにおいて、１より多くの空間ストリームが、１より多くの送信アンテナを介して伝送される。一般に送信機アンテナの数がＮである場合、Ｎ個の空間ストリームが生成される。
【発明の概要】
【発明が解決しようとする課題】
【０００９】
新たなＭＩＭＯ通信システムは、前のＷＩＭＥＤＩＡ（登録商標）規格と下位互換性を持つべきである。特に、いかなる新たなＭＩＭＯマルチバンドＯＦＤＭ通信システムに対するデータインターリーブ手法も、前のＷＩＭＥＤＩＡ（登録商標）規格、特にＷＩＭＥＤＩＡ（登録商標）ＰＨＹ１．１と互換性を持つべきである。
【課題を解決するための手段】
【００１０】
本発明の一態様において、レガシインターリーバでインターリーブされたデータを受信する受信機と通信するように動作可能な多入力多出力マルチバンドＯＦＤＭ送信機を介して、Ｎ本の伝送信号でデータを伝送する方法が提供される。この方法は、データをラウンドロビンパーサでＮ個のパースされたデータストリームにパースするステップと、Ｎ個のパースされたデータストリームのうちの第１のものに第１レガシインターリーバでインターリーブして、インターリーブされたデータストリームを生成するステップと、Ｎ個のパースされたデータストリームのうちのｉ番目のものを、パースされたデータストリームをシフトさせるビットシフタでｉ＊ｘ（ｘは送信されたシンボルのビット数）ビットのシフトをし、ｉ番目のインターリーブされたデータストリームを生成するため、ｉ番目のレガシインターリーバを用いて、シフトされたｉ番目のパースデータストリームにインターリーブをすることによって、ｉ＝（１、Ｎ―１）に対して、ｉ番目のインターリーブされたデータストリームを生成するステップとを含む。
【００１１】
本発明の他の態様では、レガシインターリーバでインターリーブされたデータを受信する受信機と通信するように動作可能な多入力多出力マルチバンドＯＦＤＭ送信機が、提供される。送信機は、データをＮ個のパースされたデータストリームにパースするラウンドロビンパーサと、Ｎ個のパースされたデータストリームの最初のものを受信し、ここからインターリーブされたデータストリームを形成する第１のレガシインターリーバと、各々が、Ｎ個のパースされたデータストリームの受信し、パースされたデータストリームをｉ＊ｘビットだけシフトさせるＮ―１ビットシフタ（ｉは整数であり、ｘは送信されたシンボルのビット数である）と、各々が、シフトされたパースデータストリームのうちの１つを受信し、ここからインターリーブされたデータストリームを生成するＮ―１シフタレガシインターリーバとを有する。
【００１２】
本発明の更に別の態様において、各々がシンボル当たりｘビットを含むｋ個のシンボルに渡って、レガシインターリーバでインターリーブされたデータを受信する受信機と通信するように動作可能である多入力多出力マルチバンドＯＦＤＭ送信機を介して、Ｎ個の送信信号でデータを送信する方法が提供される。この方法は、Ｎ＊ｋ＊ｘビットのセットを受信するステップと、Ｎ＊ｋ＊ｘビットのセットを、各々がＮ＊ｋ＊ｘビットの元のセットからのｋ＊ｘの連続的なビットからなるＮ個のビットのサブセットに分割するステップと、Ｎ個のサブセットのビットの各々にインターリーブするステップとを含む。
【００１３】
更に他の本発明の態様において、各々がシンボル当たりｘビットを含むｋ個のシンボルに渡って、レガシインターリーバでインターリーブされたデータを受信する受信機と通信するように動作可能である多入力多出力マルチバンドＯＦＤＭ送信機が設けられ、この方法は、Ｎ＊ｋ＊ｘビットのセットを、各グループが元のＮ＊ｋ＊ｘビットのセットからのｋ＊ｘの連続したビットのサブセットからなるＮ個のビットのサブセットに分割するデータスプリッタと、各々が、Ｎ個のビットのサブセットに対応してインターリーブする、Ｎ個のレガシインターリーバとを含む方法。
【００１４】
本発明の更なる態様において、レガシインターリーバでインターリーブされたデータを受信する受信機と通信するように動作可能な多入力多出力マルチバンドＯＦＤＭ送信機を介して、Ｎ個の伝送信号でデータを伝送する方法が提供される。レガシインターリーバは、ｋ個シンボルに対して、シンボル当たりｘビットを挟み込むシンボルインターリーバと、ｙ＊ｊビットのブロックを使用して、シンボルインターリーバからのｘビットのグループをインターリーブするトーンインターリーバと、ｍの循環シフトで、トーンインターリーバからのデータを循環シフトする循環シフタとを有する。この方法は、データのｋ個のシンボルに対して、シンボル当たりＮｘビットをシンボルインターリーブするステップと、Ｎｙ＊ｊビットのブロックを使用して、Ｎｘ個のシンボルインターリーブされたビットのグループをトーンインターリーブするステップと、トーンインターリーブされたビットに対して、ｍの循環シフトで循環シフトをするステップと、ラウンドロビンパーサを用いて、循環シフトされたデータをＮ個の伝送データストリームにパースするステップとを有する。
【００１５】
本発明の更なる態様において、レガシインターリーバでインターリーブされたデータを受信する受信機と通信するように動作可能である多入力多出力送信機が設けられる。レガシインターリーバは、シンボル当たりｘビットをｋ個のシンボルにインターリーブするシンボルインターリーバと、y＊ｊビットのブロックを使用して、シンボルインターリーバからのｘビットのグループをインターリーブするトーンインターリーバと、ｍの循環シフトを有する循環シフタとを含む。送信機は、ｋ個のシンボルに対して、シンボル当たりＮｘビットをインターリーブするシンボルインターリーバを含むスケーリングされたレガシインターリーバと、Ｎｙ＊ｊビットのブロックを使用して、シンボルインターリーバからのＮｘビットのグループをインターリーブするトーンインターリーバと、ｍの循環シフトだけ、トーンインターリーブされたデータをシフトする循環シフタと、循環してインターリーブされたデータをＮ個の伝送データストリームにパースするラウンドロビンパーサとを有する。
【図面の簡単な説明】
【００１６】
【図１】図１は、超広帯域（ＵＷＢ）マルチバンド（ＭＢ）直交周波数分割多重（ＯＦＤＭ）伝送システムの機能ブロック図である。
【図２】図２は、３ステージインターリーバの機能ブロック図である。
【図３】図３は、レガシインターリーバの構造を組み込む多入力多出力（ＭＩＭＯ）ＭＢ―ＯＦＤＭ伝送システムのインターリーブ構成の第１実施例を図示する機能ブロック図である。
【図４】図４は、ＭＩＭＯ  ＭＢ―ＯＦＤＭ伝送システムの機能ブロック図である。
【図５】図５は、レガシインターリーバの構造を組み込む、ＭＩＭＯ  ＭＢ―ＯＦＤＭ伝送システムのインターリーブ構成の第２実施例を図示する機能ブロック図である。
【図６】図６は、レガシインターリーバの構造を組み込む、ＭＩＭＯ  ＭＢ―ＯＦＤＭ伝送システムのインターリーブ構成の第３実施例を図示する機能ブロック図である。
【発明を実施するための形態】
【００１７】
以下に記載される方法及びシステムの様々な原理及び特徴が、様々な通信システムに適用され得る一方、説明の便宜上、例示的な実施例は、以下、ＭＩＭＯ  ＵＷＢマルチバンドＯＦＤＭ通信システムの文脈で記載されるであろう。しかしながら、以下に記載される大まかな原理は、異なる通信プロトコルで動作する他の通信システムの場合も適用され得る。もちろん、本発明の範囲は、本願明細書に加えられる請求項によって規定され、以下に記載される具体例によって制限されない。
【００１８】
これを考慮して、ＭＩＭＯマルチバンドＯＦＤＭ通信システムのデータにインターリーブをする方法及びシステムを記載する。
【００１９】
有益には、ＭＩＭＯマルチバンドＯＦＤＭ通信システムは、前の規格と下位互換性を持つべきである。この場合、上記インターリーバ２００（以下「レガシインターリーバ２００」と称す）を再利用することは、良好な手法であり得る。ＭＩＭＯ送信機の送信機アンテナの数がＮであると仮定する。この場合、Ｎ個のデータストリームが必要とされる。データにインターリーブをする最も簡潔な態様は、ビットをＮ個のデータストリームにパースし、各データストリームに対してインターリーバ２００を使用することである。しかしながら、このような手法は、ある欠点を持つ。例えばこの手法を用いると、隣接ビット（偶数及び奇数）は、各アンテナの同じサブキャリアであるだけでなく、同じサブバンドにマッピングされるであろう。周波数ダイバーシチは、サブバンド周波数ダイバーシチ及びサブキャリア周波数ダイバーシチを含み、この方法によって調べることができない。
【００２０】
したがって、図３は、レガシインターリーバ２００の構造を組み込んだＭＩＭＯ伝送システムのインターリーブ構成３００の第１実施例を図示する機能ブロック図である。当業者ならば周知のように、図３に示される様々な「部分」の１又はそれより多くは、ソフトウェア制御されたマイクロプロセッサ、配線された論理回路、又はこれらの組み合わせを使用して、物理的に実施され得る。上記部分は、説明目的のため、図３において機能的に分離されるが、これらは、いかなる物理的な実施態様でも様々に組み合わされ得る。
【００２１】
インターリーブ構成３００は、ラウンドロビンビットパーサ３１０、（Ｎ−１）ビットシフタ３２０ｉ、及びＮ個のレガシインターリーバ３４０ｉを含む。インターリーブ構成３００は、Ｎ本の伝送信号を使用するＭＩＭＯマルチバンドＯＦＤＭ送信機に対してＮ本のデータストリームを生成する。有益には、各レガシインターリーバ３４０ｉは、図２に関して上述したようにインターリーバ２００に対応する。
【００２２】
操作上、ラウンドロビンビットパーサ３１０は、ビットストリーム（例えば畳み込み符号化されたビットストリーム）を受信し、ビットストリームをラウンドロビンに基づいてＮ個の別々のデータストリームにパースする。すなわちＮビットの第１グループに対して、ラウンドロビンビットパーサ３１０は、第１ビットを第１データストリームに、第２ビットを第２データストリームに、及び第ｉビットを第ｉデータストリームに、Ｎビット全てがＮ個のデータストリームに分配されるまで分配する。それからＮビットの次のグループに対して、ラウンドロビンビットパーサ３１０は、このプロセスを繰り返し、これにより、元々受信されたビットストリームのデータレートの１／Ｎ倍であるデータレートを各々が有するＮ個のデータストリームを生成する。
【００２３】
ラウンドロビンビットパーサ３１０によるｉ番目のデータストリーム出力に対して、ｉ＝（０、Ｎ−１）では、入ってくるビットをｉ＊ｘビットシフトする、対応するビットシフタ３２０ｉが提供され、ｘは、シンボル内のビットの数に等しい（例えばｘ＝２００）。すなわち各ビットシフタ３２０ｉは、受信されたデータストリームをシンボルの整数分シフトさせる。もちろんｉ＝０の場合、ビットシフタ３２０は、必要とされない。すなわち第１データストリームは、ビットシフタを必要としないが、残るＮ―１個のデータストリームに対するＮ―１個のビットシフタがある。
【００２４】
各ビットシフタ３２０ｉからの出力は、それからＮ個のレガシインターリーバ３４０ｉの対応するものに適用される。各レガシインターリーバ３４０ｉは、インターリーバ２００に関して上述したように動作し、ｋ個のデータのシンボルに対して、シンボル当たりｘビットだけシンボルインターリーブし、ｙ＊ｊビットのブロックを使用して、ｘ個のシンボルインターリーブされたビットのグループをトーンインターリーブし、ｍの循環シフトでトーンインターリーブされたビットを循環シフトする。有利なことに、一実施例において、ＷＩＭＥＤＩＡ（登録商標）規格によるレガシインターリーバとの互換性のため、ｋ＝６、ｘ＝２００、ｙ＝２０、ｊ＝１０、及びｍ＝３３である。
【００２５】
図３の構成によるＭＩＭＯ  ＵＷＢ  ＭＢ―ＯＦＤＭシステムでは、Ｎ個のデータストリームのあらゆるＯＦＤＭシンボルのビットは、異なる順序で周波数サブバンドにマッピングされるであろう。例えばＮ＝２の場合、第１データストリームのあらゆるＯＦＤＭシンボルが、サブバンド１，２，３，１，２，３の順にマッピングされ、第２データストリームのどのＯＦＤＭシンボルのビットも、サブバンド２，３，１，２，３，１の順にマッピングされるであろう。２つのデータストリームが異なる周波数サブバンドにマッピングされるので、周波数ダイバーシチは、異なるサブバンドの異なるチャネルインパルス応答からよりよく調べられるであろう。したがって、インターリーブの後のサブバンド及びアンテナの間の相関は、自動的に実質的に低減され得る。
【００２６】
図４は、インターリーブ構成３００を使用し得るＭＩＭＯ  ＵＷＢ  ＭＢ―ＯＦＤＭ伝送システム４００の一実施例を図示する。当業者ならば周知のように、図４に示される様々な「部分」の１又はそれより多くは、ソフトウェア制御されたマイクロプロセッサ、配線された論理回路、又はこれらの組み合わせを使用して、物理的に実施され得る。上記部分が説明のために図４において機能的に分離されるが、これらは、いかなる物理的な実施態様でも様々に組み合わせられ得る。
【００２７】
図４から分かるように、伝送チェーンは、スクランブラ４１０、畳込エンコーダ４２０、パンクチュア４３０、インターリーバ４４０、Ｎ個のコンステレーションマッパ４５０ｉ、Ｎ個の逆フーリエ変換器４６０ｉ、Ｎ個のデジタル／アナログ変換器４７０ｉ、及びＮ個のモジュレータ４８０ｉを含む。一実施例において、インターリーバ４４０は、図３のインターリーバ構成３００に対応する。有益には、ＭＩＭＯマルチバンドＯＦＤＭ送信機４００は、レガシインターリーバでインターリーブされるデータを受信する受信機と通信するように動作可能である。
【００２８】
図５は、レガシインターリーバ２００の構造を組み込むＭＩＭＯマルチバンドＯＦＤＭ伝送システムのインターリーブ構成５００の第２実施例を図示する機能ブロック図である。当業者ならば周知のように、図５に示される様々な「部分」の１又はそれより多くは、ソフトウェア制御されたマイクロプロセッサ、配線された論理回路、又はこれらの組み合わせを使用して、物理的に実施され得る。説明目的のため、上記部分が図５において機能的に分離されるが、これらは、いかなる物理的な実施態様でも様々に組み合わせられ得る。
【００２９】
インターリーブ構成５００は、データスプリッタ５１０及びＮ個のレガシインターリーバ５２０ｉを含む。インターリーブ構成５００は、Ｎ個の伝送信号を使用して、ＭＩＭＯマルチバンドＯＦＤＭ送信機に対してＮ個のデータストリームを生成する。
【００３０】
操作上、データスプリッタ５１０は、ビットストリーム（例えば畳込符号化されたビットストリーム）を受信し、ビットストリームを、各々が元のビットストリームからの連続的又は逐次的なビットのグループを含むＮ個の別々のデータストリームに分割する。すなわち、データスプリッタ５１０は、Ｎ＊ｋ＊ｘビットのセットを受信し、ここでＮは、使用されるアンテナの数（したがって、生成されるデータストリームの数）であり、ｋは、レガシインターリーバ５２０ｉのシンボルインターリーバによってインターリーブされるシンボル数であり、ｘは、シンボルのビット数である。データスプリッタ５１０は、Ｎ＊ｋ＊ｘビットの各セットをＮ個のビットのサブセットに分割し、各サブセットは、Ｎ＊ｋ＊ｘビットの元のセットからのｋ＊ｘ個の逐次的又は連続的なビットからなる。
【００３１】
各レガシインターリーバ５２０ｉは、Ｎ個のインターリーブされたデータストリームを生成するため、Ｎ個のビットのサブセットのうちの対応するものにインターリーブする。各レガシインターリーバ５２０ｉは、インターリーバ２００に関して上述したように動作し、シンボル当たりｘビットを、ｋ個のデータのシンボルにシンボルインターリーブし、ｙ＊ｊビットのブロックを使用して、ｘ個のシンボルインターリーブされたビットのグループをトーンインターリーブし、ｍの循環シフトでトーンインターリーブされたビットを循環シフトする。ＷＩＭＥＤＩＡ（商標登録）規格によるレガシインターリーバ互換の一実施例において、ｋ＝６、ｘ＝２００、ｙ＝２０、ｊ＝１０、及びｍ＝３３である。
【００３２】
図４のＭＩＭＯ  ＵＷＢ  ＭＢ―ＯＦＤＭ伝送システム４００は、インターリーバ４４０に対してインターリーブ構成５００を使用し得る。
【００３３】
図６は、レガシインターリーバ２００の構造を組み込む、ＭＩＭＯマルチバンドＯＦＤＭ伝送システムのインターリーブ構成６００の第３実施例を図示する機能ブロック図である。当業者ならば周知のように、図６に示される様々な「部分」の１又はそれより多くは、ソフトウェア制御されたマイクロプロセッサ、配線された論理回路、又はこれらの組み合わせを使用して、物理的に実施され得る。この部分が、説明目的のため、図６において機能的に分離されるが、これらは、いかなる物理的な実施態様でも様々に組み合わせられ得る。
【００３４】
インターリーブ構成６００は、スケーリングされたレガシインターリーバ６１０及びラウンドロビンビットパーサ６２０を含む。スケーリングされたインターリーバ６１０は、図２のレガシインターリーバ２００と同じ構造を有するが、パラメータのいくつかは、ＭＩＭＯ伝送システムの複数のデータストリームを収容するようにスケーリングされる。スケーリング係数は、ＭＩＭＯマルチバンドＯＦＤＭ送信機において使用される送信アンテナの数Ｎ、及びこの最大データレートモードに関連する変調サイズに依存する。例えば上述のように、ｋをレガシインターリーバ２００のシンボルインターリーバ２２０によってインターリーブされるシンボル数とし、ｘを各シンボルのビット数とし、シンボルインターリーバ２４０をブロックサイズｙ＊ｊ（ｙ＊ｊ＝ｘ）で動作させ、レガシインターリーバ２００の循環シフタ２６０をｍの循環シフトで動作させる。この場合において、スケーリングされたレガシインターリーバ６１０では、シンボルインターリーバは、シンボル当たりＮｘビットを、ｋ個のデータのシンボルにインターリーブし、トーンインターリーバは、Ｎｙ＊ｊビットのブロックを使用して、シンボルインターリーバからのＮｘビットのグループをインターリーブし、循環シフタは、ｍの循環シフトで、トーンインターリーブされたビットを循環シフトさせる。有利なことには、ＷＩＭＥＤＩＡ（登録商標）規格によるレガシインターリーバと互換性のある一実施例において、ｋ＝６、ｘ＝２００、ｙ＝２０、ｊ＝１０、及びｍ＝３３とする。この場合、スケーリングされたレガシインターリーバ６１０において、シンボルインターリーバは、６つのデータのシンボルに対して、１シンボル当たり４００ビットをインターリーブし、トーンインターリーバは、４０＊１０ビットのブロックを使用して、シンボルインターリーバからの４００ビットのグループをインターリーブし、循環シフタは、３３の循環シフトで、トーンインターリーブされたビットを循環シフトする。
【００３５】
操作上、スケーリングされたレガシインターリーバ６１０は、入力ビットストリームを受信し、上記のようにこれに対してインターリーブする。それから、インターリーブ構成３００に関して上述したように、ラウンドロビンビットパーサ６２０は、Ｎ個のインターリーブされたデータストリームを生成するため、インターリーブされたデータ上でビット単位のラウンドロビンパースを実行する。
【００３６】
この手法の利点は、３ステージインターリーバの後、隣接ビットのあらゆる対が異なるサブキャリア及び異なるサブバンドから来ることであろう。インターリーブの前の隣接ビットのあらゆる対は、うまく分離してｋ個のサブバンドにマッピングされるであろう。インターリーブされたビットを異なるアンテナにパースすることは、前と同じインターリーブ効果を維持するであろう。
【００３７】
図４のＭＩＭＯ  ＭＢ―ＯＦＤＭ伝送システム４００は、インターリーバ４４０のインターリーブ構成６００を使用し得る。
【００３８】
好ましい実施例がここで開示される一方、本発明の主旨及び範囲内にある多くの変形例があり得る。このような変形例は、ここの明細書、図面及び請求項を調べた後に当業者に明らかになるであろう。それゆえ本発明は、添付の請求項の主旨及び範囲以外に制限されるべきではない。
【図１】
0005431970.tif 000004
【図２】
0005431970.tif 000005
【図３】
0005431970.tif 000006
【図４】
0005431970.tif 000007
【図５】
0005431970.tif 000008
【図６】
0005431970.tif 000009